(57)【要約】【課題】シート状部材の取付が簡単で、しかも確実に保持することかできるシートホルダーを提供する。【解決手段】本発明に係るシートホルダーは、重ね合わされた一対のシート状のカバー１と、両カバー１の間に配置され、一方向に延びるスリット２１が形成された保持具２と、を備え、保持具２は、スリット２１が両カバー１に覆われた状態に配置され、スリット２１を挟むいずれか一方の端部２３が両カバー１の一端部に固着されている。【選択図】図１
2008119904.tif 000002
【特許請求の範囲】
【請求項１】
重ね合わされた一対のシート状のカバーと、
前記両カバーの間に配置され、一方向に延びるスリットが形成された保持具と、を備え、
前記保持具は、前記スリットが前記両カバーに覆われた状態に配置され、前記スリットを挟むいずれか一方の端部が前記両カバーの一端部に固着されている、シートホルダー。
【請求項２】
前記各カバーの少なくとも一方には、前記スリットと平行に延びる折り目が形成されている、請求項１に記載のシートホルダー。
【請求項３】
前記折り目は、前記スリットに沿って延びている、請求項２に記載のシートホルダー。
【請求項４】
前記カバーは、矩形状に形成され、
前記保持具は、前記カバーの一端部を構成する一辺に沿って延びている、請求項１から３のいずれかに記載のシートホルダー。
【請求項５】
前記一対のカバーは、前記一端部において互いに連結されて一体化されている、請求項１から４のいずれかに記載のシートホルダー。
【発明の詳細な説明】
【技術分野】
【０００１】
本発明は、紙等のシート状の部材を保持するシートホルダーに関する。
【背景技術】
【０００２】
従来より、紙などのシート状部材を保持しておくシートホルダーとして、種々のものが提案されている。例えば、特許文献１には、一方向に延びるスリットが形成された取付金具を、ファイル本体の背表紙に揺動自在に取り付けたファイルが開示されている。このファイルでは、シート状部材をスリットに通し、二つ折りにした状態で保持するようになっている。
【特許文献１】実開昭５１−１１４１１１号公報
【発明の開示】
【発明が解決しようとする課題】
【０００３】
しかしながら、上記ファイルでは、取付金具がファイル本体の背表紙に揺動自在に取り付けられているため、ファイル本体とは別に意図せず動くことがあり、シート状部材がスリットから抜け落ちてしまうおそれがある。また、取付金具が動きやすいことから、シート状部材の取付時にファイル本体のみならず、取付金具も動かないように、手などで保持しておく必要があり、シート状部材の取付が容易ではなかった。
【０００４】
本発明は、上記問題を解決するためになされたものであり、シート状部材の取付が簡単で、しかも確実に保持することかできるシートホルダーを提供することを目的とする。
【課題を解決するための手段】
【０００５】
本発明に係るシートホルダーは、上記問題を解決するためになされたものであり、重ね合わされた一対のシート状のカバーと、前記両カバーの間に配置され、一方向に延びるスリットが形成された保持具と、を備え、前記保持具は、前記スリットが前記両カバーに覆われた状態で配置され、前記スリットを挟むいずれか一方の端部が前記両カバーの一端部に固着されている。
【０００６】
この構成によれば、紙等のシート状部材を保持具のスリットに通し、このスリットにおいて２つ折りにすれば、一対のカバーの間にシート状部材を簡単に保持することができる。ここで、保持具は、両カバーに固着されているため、カバーを手などで固定すれば、保持具が簡単に動くことはなく、シート状部材を容易にスリットに通すことができ、取付を簡単に行うことができる。また、保持具のスリットは、両カバーに覆われるとともに、このスリットの近傍で保持具がカバーに固着されているので、少なくともスリットが形成された領域では、保持具はカバーに押圧された状態になる。したがって、挟まれたシート状部材は両カバーによってよって押圧されるため、シート状部材の保持具からの脱落を確実に防止することができる。
【０００７】
上記シートホルダーにおいて、各カバーには、スリットと平行に延びる折り目を形成することが好ましい。例えば、シート状部材に記載のメモを読んだり、書き込みをするときに、このような折り目を形成しておくと、カバーを容易に開くことができ、また開いた位置でカバーを保持することができるため、有利である。
【０００８】
また、上記折り目は、スリットに沿って延びるように形成することが好ましい。この位置に折り目を形成すると、カバーによるスリット領域への押圧力と、折り目によるカバーを開くときの容易さを両立することができる。
【０００９】
カバーの形状は、特には限定されないが、例えば、矩形状に形成し、保持具が、カバーの一端部を構成する一辺に沿って延びるように構成することができる。
【００１０】
また、一対のカバーは、別体として形成することもできるが、一端部において互いに連結されて一体化するように形成することもできる。
【発明の効果】
【００１１】
本発明に係るシートホルダーによれば、シート状部材の取付が簡単で、しかも確実に保持することかできる。
【発明を実施するための最良の形態】
【００１２】
以下、本発明に係るシートホルダーの一実施形態について図面を参照しつつ説明する。図１はシートホルダーの平面図であり、図２は図１のＡ−Ａ線断面図である。
【００１３】
図１及び図２に示すように、このシートホルダーは、紙などのシート状部材Ｐを保持するためのものであり、２つ折りにされた矩形状のカバー１と、このカバー１に挟まれるように配置された細長い矩形状の保持具２とを備えている。カバー１及び保持具２はともにプラスチック樹脂で形成されているが、カバー１は、内部が視認できるように、透明のプラスチック樹脂で形成されている。また、保持具２には、長手方向に沿って延びるスリット２１が形成されており、このスリット２１にシート状部材Ｐが通され、２つ折りで保持されるようになっている。
【００１４】
カバー１と保持具２とは、次のように固着されている。すなわち、保持具２においてスリット２１と平行に延びる一方の端縁２２が、カバー１の折り目１１に当接するように配置されている。そして、スリット２１から、一方の端縁２２までの領域Ｄにおいて、保持具２が熱融着などによってカバー１に固着されている。本実施形態では、保持具２の一方の端部（領域Ｄ）２３にスリットと平行に複数の矩形状の孔２４が形成されている。そして、カバー１において各孔２４を介して対向する部分がスポット融着されている。これにより各孔２４を介してカバー１同士が固着され、保持具２がカバー１に固定される。
【００１５】
次に、上記のように構成されたシートホルダーの使用方法について図３を参照しつつ説明する。まず、保持対象となるシート状部材Ｐを準備する。複数ある場合には、これらを重ねておく。そして、このシート状部材Ｐを二つ折りにして折り目を形成した状態で、カバー１を開き、シート状部材Ｐの端部を保持具２のスリット２１に通していく。その後、シート状部材Ｐの折り目がスリット２１と一致するところに、シート状部材Ｐを位置決めし、その折り目で二つ折りにされた状態にしてカバー１を閉じる。こうして、シート状部材Ｐの取付が完了する。
【００１６】
以上のように、本実施形態によれば、シート状部材Ｐを保持具２のスリット２１に通して２つ折りにすれば、シート状部材Ｐを簡単に保持することができる。このとき、保持具２は、カバー１に固着されているため、カバー１を手などで固定すれば、保持具２が簡単に動くことはなく、シート状部材Ｐを容易にスリット２１に通すことができ、取付を簡単にすることができる。
【００１７】
また、保持具２のスリット２１は、カバー１に覆われるとともに、このスリット２１の近傍で保持具２がカバー１に固着されているので、図４の矢印Ｔに示すように、少なくともスリット２１が形成された領域においては、保持具２はカバー１によって押圧されるように挟まれる。したがって、挟まれたシート状部材Ｐは、カバー１によって押圧されるため、保持具２からの抜け落ちを確実に防止することができる。
【００１８】
以上、本発明の一実施形態について説明したが、本発明はこれに限定されるものではなく、その趣旨を逸脱しない限りにおいて種々の変更が可能である。
【００１９】
例えば、カバー１を開いたときに、シート状部材Ｐに記載のメモを見やすくしたり、書き込みを容易にするためには、図５に示すように、スリット２１と平行にカバー１に折り目１２を形成しておくことが好ましい。これにより、カバー１を、開いた位置で容易に保持することができる。また、この折り目１２は、例えば、カバー１に微少な溝を形成することで構成することができる。
【００２０】
なお、この折り目１２を設ける位置については、図５に示すように、スリット２１上を通るように形成することが好ましい。これは、折り目１２をスリット１２に沿って形成すると、カバー１が折り目１２に沿って開いても、少なくともスリット２１の一部は、カバー１によって覆われている。そのため、スリット領域への押圧力を保持することができ、シート状部材Ｐの抜け落ちを確実に防止することができる。さらに、図６に示すように、カバー１を折り目１２に沿って開いた状態では、スリット２１の一部が露出するため、シート状部材Ｐを容易に取り付けることができる。
【００２１】
上記実施形態では、カバー１を二つ折りにして、その間に保持具２を固着しているが、二枚のカバーを重ね合わせ、その間に保持具２を固着することもできる。
【００２２】
本発明に係るシートホルダーは、種々の用途に用いることができる。例えば、紙だけでなく、フィルムを保持することもでき、２つ折り可能なシート状部材であれば、特に限定することなく、用いることができる。また、シート状部材として、例えば、ゴルフのスコアカードを２つ折りにして本発明のシートホルダーに取り付けることができる。スコアカードは、プレイ中に携帯し、頻繁に参照したり、書き込むため、本発明のように、シート状部材が抜け落ちにくく、またカバーが開きやすいシートホルダーは、特に適している。
【００２３】
また、上記実施形態では、カバー１を矩形状に形成しているが、スリット２１が覆われた状態で、保持具２を固着できるのであれば、シート状部材に合わせて種々の形状にすることもできる。
【００２４】
また、上記実施形態では、保持具２をスポット融着によって固着しているが、これに限定されるものではなく、保持具２におけるスリット２１と一方の端縁２２との間の領域Ｄで、カバー１と保持具２とが固着されていれば、その方法は特には限定されない。
【図面の簡単な説明】
【００２５】
【図１】本発明に係るシートホルダーの一実施形態を示す平面図である。
【図２】図１のＡ−Ａ線断面図である。
【図３】図１のシートホルダーの使用状態を示す斜視図である。
【図４】図１のシートホルダーの使用状態を示す断面図である。
【図５】本発明に係るシートホルダーの他の例を示す平面図である。
【図６】本発明に係るシートホルダーの他の例を示す斜視図である。
【符号の説明】
【００２６】
１  カバー
１２  折り目
２  保持具
２１  スリット
【図１】
2008119904.tif 000003
【図２】
2008119904.tif 000004
【図３】
2008119904.tif 000005
【図４】
2008119904.tif 000006
【図５】
2008119904.tif 000007
【図６】
2008119904.tif 000008